(57)【要約】【課題】容器本体の外観上のデザイン性をカラフルな発光で向上させ、飲料の残量をもそのカラフルな発光で例え離れた位置からでも視覚的に容易に感得できる発光性ケトルを提供する。【解決手段】飲料を収容する容器本体２と、容器本体２内の飲料を加熱する加熱部としての熱電体２１と、容器本体２内の飲料から透過光を発散させる発光部としてのＬＥＤ２２，２３と、容器本体２の一部の壁面を兼ね、飲料の収容量の小容量、中容量、大容量の三容量のうち、小容量の少なくとも一部から大容量に至るまでの領域分を有するとともに、容器本体２内の飲料の存在を透過させる任意のデザインの面形状を有する光透過壁面３１とを備える。飲料の加熱中は赤色発光用のＬＥＤ２２を発光させ、保温時は青色発光用のＬＥＤ２３の発光に切換える。各々の発光は光透過壁面３１から外界に発散する。【選択図】      図１
0003123427.tif 000002
【実用新案登録請求の範囲】
【請求項１】
飲料を収容する容器本体と、
前記容器本体内の前記飲料を加熱する加熱部と、
前記容器本体内の前記飲料から透過光を発散させる発光部と、
前記容器本体の一部の壁面を兼ね、前記飲料の収容量の小容量、中容量、大容量の三容量のうち、前記小容量の少なくとも一部から前記大容量に至るまでの領域分を有するとともに、前記容器本体内の前記飲料の存在を透過させる任意のデザインの面形状を有する光透過壁面と、
を備えることを特徴とする発光性ケトル。
【請求項２】
飲料を収容する容器本体と、
前記容器本体内の前記飲料を加熱する加熱部と、
前記容器本体内の前記飲料から透過光を発散させる発光部と、
前記容器本体の一部の壁面を兼ね、前記飲料の最高収容高さの１／３以下の少なくとも一部から３／３の高さに至るまでの領域分を有するとともに、前記容器本体内の前記飲料の存在を透過させる任意のデザインの面形状を有する光透過壁面と、
を備えることを特徴とする発光性ケトル。
【請求項３】
前記発光部は、複数色の発光のうち選択的に任意の発光色の発光を可能とする構成を含むことを特徴とする請求項１または２に記載の発光性ケトル。
【請求項４】
前記発光部は、少なくとも、一または複数の赤色発光用のＬＥＤ、及び一または複数の青色発光用のＬＥＤを備えることを特徴とする請求項１乃至３の何れか一つに記載の発光性ケトル。
【請求項５】
前記発光部は、前記飲料を加熱する際は赤色で発光して前記飲料から赤色光を発散させ、前記飲料を保温する際は青色で発光して前記飲料から青色光を発散させることを特徴とする請求項１乃至４の何れか一つに記載の発光性ケトル。
【請求項６】
前記飲料の温度を検出する温度センサと、
前記飲料を加熱する際に前記発光部から赤色の発光を行わせ、前記飲料が所定の温度に達して保温に切換わる際に前記発光部から赤色発光を消して青色の発光を行わせる制御部と、
を備えることを特徴とする請求項１乃至５の何れか一つに記載の発光性ケトル。
【考案の詳細な説明】
【技術分野】
【０００１】
本考案は、容器本体内の飲料の所定色の発光で、容器本体のデザイン的な一部領域が赤色や青色等のカラフルな光を発散させる発光性ケトルに関する。
【背景技術】
【０００２】
近年、発光水量表示方式の電気ポットが流通している。発光水量表示方式には、容器底部からの液体経路としての吐出管に透明管を用い、外装ケース前面の透明窓からその吐出管内の液面を覗かせ、その液面を発光素子で照射するという構成が採用されている（例えば、特許文献１参照）。
【０００３】
【特許文献１】特開２００４−３１３３８１号公報
【考案の開示】
【考案が解決しようとする課題】
【０００４】
しかしながら、従来の方式は、外装ケース前面の狭い透明窓からその吐出管内の液面を覗かせるというものであり、ポット（ケトル）本体の外観のデザイン性を向上させる要素としては至極不十分なものであった。しかも、ポット（ケトル）本体内の飲料の実容量（残量）を離れた位置からでは視覚的に容易に感得することはできず、実用性の面でも不十分なものであった。
【０００５】
本考案は、上記従来の技術の問題点を解決し、ケトル本体（容器本体）の外観上のデザイン性をカラフルな発光で向上させるとともに、ケトル本体内の飲料の実容量（残量）をもそのカラフルな発光で例え離れた位置からでも視覚的に容易に感得することができる発光性ケトルを提供することを目的とする。
【課題を解決するための手段】
【０００６】
上記目的を達成するため、本考案は、飲料を収容する容器本体と、前記容器本体内の前記飲料を加熱する加熱部と、前記容器本体内の前記飲料から透過光を発散させる発光部と、前記容器本体の一部の壁面を兼ね、前記飲料の収容量の小容量、中容量、大容量の三容量のうち、前記小容量の少なくとも一部から前記大容量に至るまでの領域分を有するとともに、前記容器本体内の前記飲料の存在を透過させる任意のデザインの面形状を有する光透過壁面とを備えることを特徴とする。
【０００７】
また、本考案は、飲料を収容する容器本体と、前記容器本体内の前記飲料を加熱する加熱部と、前記容器本体内の前記飲料から透過光を発散させる発光部と、前記容器本体の一部の壁面を兼ね、前記飲料の最高収容高さの１／３以下の少なくとも一部から３／３の高さに至るまでの領域分を有するとともに、前記容器本体内の前記飲料の存在を透過させる任意のデザインの面形状を有する光透過壁面とを備えることを特徴とする。
【０００８】
また、本考案は、前記発光部は、複数色の発光のうち選択的に任意の発光色の発光を可能とする構成を含むことを特徴とする。
【０００９】
また、本考案は、前記発光部は、少なくとも、一または複数の赤色発光用のＬＥＤ、及び一または複数の青色発光用のＬＥＤを備えることを特徴とする。
【００１０】
また、本考案は、前記発光部は、前記飲料を加熱する際は赤色で発光して前記飲料から赤色光を発散させ、前記飲料を保温する際は青色で発光して前記飲料から青色光を発散させることを特徴とする。
【００１１】
さらに、本考案は、前記飲料の温度を検出する温度センサと、前記飲料を加熱する際に前記発光部から赤色の発光を行わせ、前記飲料が所定の温度に達して保温に切換わる際に前記発光部から赤色発光を消して青色の発光を行わせる制御部とを備えることを特徴とする。
【考案の効果】
【００１２】
本考案によれば、容器本体の外観上のデザイン性をカラフルな発光で向上させるとともに、容器本体内の飲料の実容量（残量）をもそのカラフルな発光で例え離れた位置からでも視覚的に容易に感得することができ、その利便性が向上する。
【考案を実施するための最良の形態】
【００１３】
以下、図面を参照して、本考案に係る発光性ケトルの一実施の形態について説明する。図１は本実施の形態の発光性ケトルの外観から見た構成を示す外観図であり、図２は本実施の形態の発光性ケトル内部の要部構成を説明する説明図である。
【００１４】
発光性ケトル１は、水等の飲料を収容する容器本体２を有する。容器本体（ケトル本体）２は、ボトム部１１と、デザイン容器部１２とを例えば螺合により双方１１，１２を取り外し可能に一体化して構成されている。
【００１５】
ボトム部１１は、単体で上面から見た場合、図２に示すように、例えば内側の中央に飲料を電源供給とともに加熱する加熱部としての熱電体２１が装着されている。ボトム部１１の内側で熱電体２１の周囲には、発光部としての複数の赤色発光用のＬＥＤ２２、及び複数の青色発光用のＬＥＤ２３が配設されている。各ＬＥＤ２２，２３の発光は、図１に示すデザイン容器１２内の飲料全体を透過して、飲料からその赤色もしくは青色の光を発散させる。
【００１６】
ボトム部１１の熱電体２１、及び各ＬＥＤ２２，２３は、ボトム部１１の防水された内部に備わる充電可能のバッテリ、もしくは電池で駆動するという所謂コードレスの態様があり、かつ、ボトム部１１の防水された内部から外壁の間の所定位置に、熱電体２１、及び各ＬＥＤ２２，２３に電源供給するプラグ（図示せず）を外部の電源コードのプラグ（図示せず）と接続可能に設置するという態様がある。また、ボトム部１１の防水された内部には、熱電体２１、及び各ＬＥＤ２２，２３の各々の駆動を温度センサ（図３参照）２４の飲料の温度検出に基づいて制御する制御部（図３参照）２５が設置されている。尚、温度センサ２４は、ボトム部１１側の所定位置、もしくはデザイン容器部１２内側の所定位置等の任意の位置に設置してもよく、または温度センサ２４の代りに、ボトム部１１の防水された内部に熱電体２１の過加熱を検出するサーモスタットを用いてもよい。
【００１７】
デザイン容器部１２には、容器本体２の一部の壁面を兼ね、飲料の収容量（充填量）を小容量、中容量、大容量の三容量に分けた場合、その三容量のうち、小容量の少なくとも一部から大容量に至るまでの領域分を有する光透過壁面３１が所定の工法で密接されて一体化されている。光透過壁面３１は、飲料の存在を透過させる光透過性のある材質からなり、デザイン容器部１２の一部として違和感のない任意のデザインが勘案された一面状の面形状（但し所謂複数に分割したデザイン性の複数面状の面形状も好ましい）を有する。光透過壁面３１は、デザイン容器部１２の片半面のかなり広い領域を占めているが、その領域は広い程、ユーザに対するデザイン性のアピール、及び発光性のアピールはより強くなる。
【００１８】
ところで、容器本体２内に収容する飲料の小容量とは、容器本体２内の全容積の例えば１／３未満の容量であり、中容量とは、同じく全容積の例えば１／３以上から２／３未満の容量であり、大容量とは、同じく全容積の例えば２／３以上から３／３以下の容量である。
【００１９】
尚、光透過壁面３１は、別の技術的思想として、容器本体２の一部の壁面を兼ね、飲料の最高収容高さの１／３以下の少なくとも一部から３／３の高さに至るまでの領域分を有するとともに、容器本体２内の飲料の存在を透過させる任意のデザインの面形状を有するものとするという態様もある。いずれにせよ、光透過壁面３１は、曇りガラス的に所謂半透明な材質から構成してもよいことは勿論である。
【００２０】
デザイン容器部１２の光透過壁面３１には、飲料の目盛りとして、小容量、中容量、大容量の各所定の位置を示すマーク３１ａ等が印されている。但しその目盛りは光透過壁面３１の光透過性をより強めたマーク的領域として定めてもよい。
【００２１】
一方、デザイン容器部１２の上方には、飲料の充填口を閉塞する閉塞部３２が着脱可能もしくは開閉可能に設けられており、その一方の付近には飲料の吐出口３３が形成されている。デザイン容器部１２の一外側面側には、取っ手３４が一体に成形されている。例えば取っ手３４の上方側の位置には、飲料を加熱するためのスイッチ３５が配設されている。尚、ボトム部１１及びデザイン容器部１２の内部側には、例えば透明ガラスの容器を納めて二重保温構造の構成としてもよい。透明ガラスの容器であるから各ＬＥＤ２２，２３の発光を外界に発散する効率には影響がない。
【００２２】
スイッチ３５をＯＮ操作した場合には、制御部２５がその旨検出して熱電体２１を発熱させて飲料を加熱し始め、かつ、複数の赤色発光用のＬＥＤ２２を発光させる。各ＬＥＤ２２の赤色発光は、デザイン容器部１２内の飲料を透過して、飲料から赤色の透過光を発散させるため、デザイン容器部１２の任意のデザインの面形状を有する光透過壁面３１から透けて見える飲料の部分から外界に赤色発光の透過光が発散される。赤色発光の透過光を発散する飲料の液面より上方の空間にもやや薄い赤色光の発散が見られるため、光透過壁面３１に現れるその色調の違いで飲料の液面位置が仮に離れた位置にあっても視覚的に容易に判る。
【００２３】
一方、制御部２５が温度センサ２４を介して飲料が所定の保温開始温度に達したことを検出した場合は、熱電体２１の発熱を中断するとともに、各ＬＥＤ２２を消光させ、かつ青色発光用の各ＬＥＤ２３を発光させる。その結果、飲料は青色発光を透過するため、デザイン容器部１２の任意のデザインの面形状を有する光透過壁面３１からの光の発散は、青色発光の光透過の発散に切換わる。ユーザは、例え離れた位置にいてもその光透過壁面３１からの飲料の青色発光の発散を見ることで、飲料が十分な温度に達して保温状態になったことを容易に知ることができる。飲料を消費して充填量が減ってきても、青色発光の透過光を発散する飲料の液面より上方の空間にもやや薄い青色光の発散が見られるため、光透過壁面３１に現れる同じくその色調の違いで飲料の液面位置が仮に離れた位置にあっても視覚的に容易に判る。
【００２４】
尚、保温中を示す青色発光は所定時間の間継続した後に消光するという態様、もしくは電源投入の続く限り発光を継続するという態様の何れを用いてもよい。後者の場合、一度冷やした飲料の低温を保温する場合も青色発光を継続することが可能である。発光色については、赤色や青色に限定されるものではなく、任意の発光色を用いてもよいことは勿論である。
【００２５】
また、本実施の形態では発光部としての複数の赤色発光用のＬＥＤ２２、及び複数の青色発光用のＬＥＤ２３が配設されているが、一つの赤色発光用のＬＥＤ２２、及び一つの青色発光用のＬＥＤ２３のみを配設してもよいことは勿論である。
【００２６】
本実施の形態の発光性ケトル１は、容器本体（ケルト本体）２の光透過壁面３１から透けて見える飲料から発散するカラフルな発光色で容器本体（ケルト本体）２の外観上のデザイン性を特段の制約なく格段に向上させることができる。かつ、本発光性ケトル１は、容器本体２内の飲料の実容量（残量）をもそのカラフルな発光で例え離れた位置からでも視覚的に容易に知らせることができる。しかも、本発光性ケトル１は、消費電力の多い飲料の加熱時、及び非電力もしくは低電力の飲料の保温時（自然保温もしくは弱加熱保温）の各々で飲料が発散する発光色が相違するため、安全性の面においてもその利便性を確実に向上させることができる。
【産業上の利用可能性】
【００２７】
本発明は、カラフルな発光でデザイン性を向上させるケトルに利用することが可能である他、電気ポットにも利用することが可能である。
【図面の簡単な説明】
【００２８】
【図１】一実施の形態の発光性ケトルの外観から見た構成を示す外観図である。
【図２】一実施の形態の発光性ケトルの内部の要部構成を説明する説明図である。
【図３】一実施の形態の発光性ケトルの制御系の構成を示すブロック図である。
【符号の説明】
【００２９】
１  発光性ケトル
２  容器本体
１１  ボトム部
１２  デザイン容器部
２１  熱電体
２２，２３  ＬＥＤ
２４  温度センサ
２５  制御部
３１  光透過壁面
３１ａ  マーク
３２  閉塞部
３３  吐出口
３４  取っ手
３５  スイッチ
【図１】
0003123427.tif 000003
【図２】
0003123427.tif 000004
【図３】
0003123427.tif 000005